(57)【要約】【課題】圧縮機の運転・停止の繰り返しを抑制し、エネルギー消費効率が改善された空気調和機を提供得ることを目的とする。【解決手段】本発明の空気調和機は、圧縮機１１と、室内熱交換器２１と、を備えた冷凍サイクルと、室内熱交換器２１に室内空気を送風する室内送風機２２と、室外温度Ｔを測定する室外温度センサ１６と、室内設定温度Ｔｍを記憶する記憶部３１と、圧縮機１１及び室内ファンモータ２２ｂの回転数を制御する制御部３２と、を有し、制御部３２は、室外温度センサ１６で測定した室外温度Ｔと室内設定温度Ｔｍの差が狭まるに従い、室内送風機２２及び前記圧縮機１１の回転数を低下させる制御を行うことを特徴としている。【選択図】図１
2015215107.tif 000002
【特許請求の範囲】
【請求項１】
冷媒を圧縮する圧縮機と、前記冷媒により室内空気の加熱又は冷却を行う室内熱交換器と、を備えた冷凍サイクルと、
前記室内熱交換器に前記室内空気を送風する室内送風機と、
室外空気の温度を測定する室外温度センサと、
予め設定された室内設定温度を記憶する記憶手段と、
前記圧縮機及び前記室内送風機の回転数を制御する制御手段と、を有し、
前記制御手段は、前記室外温度センサで測定した室外温度と前記室内設定温度の差が狭まるに従い、前記室内送風機及び前記圧縮機の回転数を低下させる制御を行うことを特徴とする空気調和機。
【請求項２】
前記記憶手段には、第１の設定風量と、前記第１の設定風量よりも低い風量に設定された第２の設定風量と、前記第１の設定風量に相当する第１の設定回転数と、前記第２の設定風量に相当する第２の設定回転数と、前記第１の設定回転数よりも低く前記第２の設定回転数よりも高い回転数に設定された第３の設定回転数と、を記憶しており、
前記室内送風機の風量は、前記第１の設定風量に設定されることが可能であり、
前記室内送風機の風量が前記第１の設定風量に設定されている場合に、前記制御手段は、前記室内送風機の回転数を、前記第１の設定回転数以下であり前記第３の設定回転数以上の範囲で回転数を制御することを特徴とする請求項１に記載の空気調和機。
【請求項３】
前記記憶手段には、予め設定された閾温度差が記憶されており、
前記制御手段は、前記室外温度と前記室内設定温度の差が前記閾温度差以下の場合は、前記室内送風機の回転数を前記第１の設定回転数に制御し、前記閾温度差よりも小さい場合は、前記室内送風機の回転数を前記第１の設定回転数よりも低く前記第３の設定回転数以上の回転数に制御することを特徴とする請求項２に記載の空気調和機。
【請求項４】
前記制御手段は、前記室外温度と前記室内設定温度の差が前記閾温度差以下の場合は、前記室内送風機の回転数を前記第３の設定回転数に制御することを特徴とする請求項３に記載の空気調和機。
【請求項５】
前記制御手段は、前記室外温度と前記室内設定温度の差が前記閾温度差以下の場合は、前記室内送風機の回転数を、前記室外温度と前記室内設定温度の差が狭まるに従い、低下させる制御を行うことを特徴とする請求項３に記載の空気調和機。
【請求項６】
前記圧縮機は、運転可能な最低回転数が予め定められており、
前記制御手段は、前記室外温度センサで計測した室外温度と室内設定温度の差が、前記室内送風機の回転数が前記第１の設定回転数であり前記圧縮機の回転数が前記最低回転数である場合の空調能力と空調負荷が等しくなる限界温度差以上の場合には、前記室内送風機の回転数を前記第１の設定回転数にし、前記圧縮機の回転数を前記室外温度と前記室内設定温度の差が狭まるに従い低下させる制御を行い、
前記室外温度センサで計測した室外温度と室内設定温度の差が、前記限界温度差より小さい場合は、前記圧縮機の回転数を前記最低回転数にし、前記圧縮機の回転数を前記室外温度と前記室内設定温度の差が狭まるに従い低下させる制御を行うことを特徴とする請求項２に記載の空気調和機。
【発明の詳細な説明】
【技術分野】
【０００１】
本発明は、空気調和機に関する。
【背景技術】
【０００２】
従来の空気調和機には、例えば特許文献１のように、室内機の風量が「強風」「弱風」「微風」のように複数の設定風量に分けられ、ユーザーが任意で選択できるようになっているものがある。また、ユーザーが選択した設定風量は、運転開始時の空調負荷の大小又は空調負荷の時間的な変化に関わらず、一定風量で動作するように設定されていることが多く、例えばユーザーが「強風」のように選択できる設定風量のうち最大の設定風量を選択すると、室内機は常にその空気調和機に設定されている最大の設定風量で運転を行う。
【０００３】
また、従来の空気調和機には、例えば特許文献２のように、圧縮機の回転数を制御することにより、空調能力を空調負荷に応じて制御するものがある。具体的には、室内の冷房時に室外温度が高い場合では、室外から室内へ移動する熱量が増加するため、空調負荷が高くなり、室内の温度を一定に保つには、空調負荷に応じて圧縮機の回転数を増加させて空調能力を増加させる必要がある。また、逆に室内の冷房時に室外温度が低い場合では、室外から室内へ移動する熱量は減少するため、空調負荷は低くなり、圧縮機の回転数を減少させて空調能力を減少させる必要がある。
【先行技術文献】
【特許文献】
【０００４】
【特許文献１】特開２０１１−２５２６５５号公報
【特許文献２】特開２００７−１０２００号公報
【発明の概要】
【発明が解決しようとする課題】
【０００５】
一般的に、圧縮機は、信頼性の観点から運転可能な最低回転数を有している。そのため、特許文献２のように圧縮機の回転数操作による空調能力の制御を行うと、圧縮機の最低回転数時の空調能力よりも低い空調負荷には圧縮機の回転数の制御だけでは対応することができず、圧縮機の運転・停止を繰り返すことによって空調能力を調整する。しかし、圧縮機の運転・停止を繰り返すと、室内温度の変化頻度が多くユーザーが不快に感じてしまう。また、圧縮機の運転の再運転時には室内空気だけでなく冷媒や室内の熱交換器などの空気調和機を構成する部材も冷却又は加熱する必要がある点、圧縮機の起動時に消費電力が増加する点より、圧縮機の運転・停止を繰り返すことでエネルギー消費量が多くなってしまう。
【０００６】
また、室内機の風量が大きいほど室内の熱交換器と室内空気の熱交換量が増大するため、室内機の風量の増加に応じて空気調和機の空調能力も増加する。そのため、特にユーザーが選択できる設定風量のうち最大の設定風量を選択している場合では、圧縮機の最低回転数時の空調能力も大きくなり、圧縮機の運転・停止の発生頻度も多くなってしまう。
【０００７】
本発明は、上記を鑑みてなされたものであって、圧縮機の運転・停止の繰り返しを抑制し、エネルギー消費効率が改善された空気調和機を提供することを目的とする。
【課題を解決するための手段】
【０００８】
本発明の空気調和機は、冷媒を圧縮する圧縮機と、前記冷媒により室内空気の加熱又は冷却を行う室内熱交換器と、を備えた冷凍サイクルと、前記室内熱交換器に前記室内空気を送風する室内送風機と、室外空気の温度を測定する室外温度センサと、予め設定された室内設定温度を記憶する記憶手段と、前記圧縮機及び前記室内送風機の回転数を制御する制御手段と、を有し、前記制御手段は、前記室外温度センサで測定した室外温度と前記室内設定温度の差が狭まるに従い、前記室内送風機及び前記圧縮機の回転数を低下させる制御を行うことを特徴とする
【発明の効果】
【０００９】
本発明に係る空気調和機は、室外温度センサで測定した室外温度と設定温度の差が狭まるに従い、圧縮機の回転数だけでなく室内送風機の回転数も低下させるため、圧縮機の運転・停止を繰り返される室外温度と設定温度の差が狭まり、頻繁な圧縮機の運転・停止を抑制され、エネルギー消費効率が改善する。
【図面の簡単な説明】
【００１０】
【図１】本発明に係る空気調和機の冷房運転時の概略図である。
【図２】本発明に係る空気調和機の暖房運転時の概略図である。
【図３】本発明に係る空気調和機のブロック線図である。
【図４】従来の空気調和機に係る冷房運転時の室外温度と室内設定温度の差に対する      空調負荷と空気調和機の空調能力を表したグラフである。
【図５】従来の空気調和機に係る冷房運転時の室外温度と室内設定温度の差に対する      室内ファンモータの回転数を表したグラフである。
【図６】従来の空気調和機に係る冷房運転時の室外温度と室内設定温度の差に対する      圧縮機の回転数を表したグラフである。
【図７】実施の形態１の空気調和機に係る冷房運転時の室外温度と室内設定温度の差      に対する空調負荷と空気調和機の空調能力を表したグラフである。
【図８】実施の形態１の空気調和機に係る冷房運転時の室外温度と室内設定温度の差      に対する室内ファンモータの回転数を表したグラフである。
【図９】実施の形態１の空気調和機に係る冷房運転時の室外温度と室内設定温度の差      に対する圧縮機の回転数を表したグラフである
【図１０】実施の形態１の空気調和機に係る冷房運転時の空調能力の制御のフローチ      ャートである。
【図１１】実施の形態１の変形例における室内設定温度Ｔｍと閾温度Ｔ１２の対応表      である。
【図１２】実施の形態１の空気調和機に係る暖房運転時の室外温度と室内設定温度の      差に対する空調負荷と空気調和機の空調能力を表したグラフである。
【図１３】実施の形態１の空気調和機に係る暖房運転時の室外温度と室内設定温度の      差に対する室内ファンモータの回転数を表したグラフである。
【図１４】実施の形態１の空気調和機に係る暖房運転時の室外温度と室内設定温度の      差に対する圧縮機の回転数を表したグラフである。
【図１５】実施の形態１の空気調和機に係る暖房運転時の空調能力の制御のフローチ      ャートである。
【図１６】実施の形態２の空気調和機に係る冷房運転時の室外温度と室内設定温度の      差に対する室内ファンモータの回転数を表したグラフである。
【図１７】実施の形態２の空気調和機に係る冷房運転時の室外温度と室内設定温度の      差に対する圧縮機の回転数を表したグラフである。
【図１８】実施の形態２の空気調和機に係る冷房運転時の空調能力の制御のフローチ      ャートである。
【図１９】実施の形態２の空気調和機に係る暖房運転時の空調能力の制御のフローチ      ャートである。
【図２０】実施の形態３の空気調和機に係る冷房運転時の室外温度と室内設定温度の      差に対する室内ファンモータの回転数を表したグラフである。
【図２１】実施の形態３の空気調和機に係る冷房運転時の室外温度と室内設定温度の      差に対する圧縮機の回転数を表したグラフである。
【図２２】実施の形態３の空気調和機に係る冷房運転時の空調能力の制御のフローチ      ャートである。
【図２３】実施の形態３の空気調和機に係る暖房運転時の空調能力の制御のフローチ      ャートである。
【発明を実施するための形態】
【００１１】
実施の形態１．
まずは本発明に係る空気調和機の構成について説明を行う。図１は、本発明に係る空気調和機の冷房運転時の概略図である。図２は、本発明に係る空気調和機の暖房運転時の概略図である。空気調和機１は、室外機１０と室内機２０とによって構成されており、室外機１０は室外に配置され、室内機２０は室内に配置される。また、室外機１０と室内機２０は冷媒配管及び通信線によって接続されている。
【００１２】
室外機１０の内部には、冷媒を吸入し圧縮してから吐出する圧縮機１１と、Ａポート、Ｂポート、Ｃポート及びＤポートの４つの接続口を有する四方弁１２と、冷媒の減圧を行う膨張弁１３と、冷媒と室外空気の間で熱交換を行わせる室外熱交換器１４と、室外熱交換器１４に室外空気を送風する室外送風機１５と、室外空気の温度を測定する室外温度センサ１６が設けられている。また、室内機２０の内部には、冷媒と室内空気の間で熱交換を行わせる室内熱交換器２１と、室内熱交換器２１に室内空気を送風する室内送風機２２が設けられている。室内送風機２２は、回転することで室内空気の流れを形成する室内ファン２２ａと、室内ファン２２ａを回転させる室内ファンモータ２２ｂより構成されている。そのため、室内送風機２２の回転数は室内ファンモータ２２ｂの回転数が該当する。
【００１３】
空気調和機１には、圧縮機１１、四方弁１２、膨張弁１３、室外熱交換器１４及び室内熱交換器２１が冷媒配管で接続されることによって、内部に冷媒が循環する冷凍サイクルが構成されている。具体的には、四方弁１２のＡポートは室内熱交換器２１と、Ｂポートは圧縮機１１の吐出口と、Ｃポートは室外熱交換器１４と、Ｄポートは圧縮機１１の吸入口と、それぞれ冷媒配管によって接続され、室外熱交換器１４と室内熱交換器２１は膨張弁１３を介して冷媒配管によって接続されることで、冷凍サイクルは構成されている。冷凍サイクルは、四方弁１２によって冷媒の流れが切り替わることにより、室内の空気を冷却する冷房運転と、室内の空気を加熱する暖房運転を切り替えることができる。
【００１４】
冷房運転時では、図１のように四方弁１２はＡポートとＤポートを接続し、ＢポートとＣポートを接続する。冷房運転時には、圧縮機１１より吐出した高温高圧の気体状態の冷媒は、四方弁１２を経由して室外熱交換器１４へ送られる。室外熱交換器１４は凝縮器として機能し、冷媒は室外空気に熱を放出し、低温高圧の液体状態に変化する。液体状態に変化した冷媒は、膨張弁１３を通過することで減圧膨張し、低温低圧の液体状態となって室内熱交換器２１へ流入する。室内熱交換器２１は蒸発器として機能するため、冷媒は室内空気より熱を吸熱し気化し、高温低圧のガス状態に変化する。高温低圧のガス状態の冷媒は四方弁１２を経由して圧縮機１１に吸入され、圧縮機１１により再び高温高圧の気体状態に戻る。冷房運転時にはこのように冷媒が循環するため、室内の空気は室内熱交換器２１へ流入する低温低圧の冷媒によって冷却される。
【００１５】
暖房運転時では、図２のように四方弁１２はＡポートとＢポートを接続し、ＣポートとＤポートを接続する。暖房運転時には、圧縮機１１より吐出した高温高圧の気体状態の冷媒は、四方弁１２を経由して室内熱交換器２１へ送られる。室内熱交換器２１は凝縮器として機能し、冷媒は室内空気に熱を放出し、低温高圧の液体状態に変化する。液体状態に変化した冷媒は、膨張弁１３を通過することで減圧膨張し、低温低圧の液体状態となって室外熱交換器１４へ流入する。室外熱交換器１４は蒸発器として機能するため、冷媒は室外空気より熱を吸熱し気化し、高温低圧のガス状態に変化する。高温低圧のガス状態の冷媒は四方弁１２を経由して圧縮機１１に吸入され、圧縮機１１により再び高温高圧の気体状態に戻る。暖房運転時にはこのように冷媒が循環するため、室内の空気は室内熱交換器２１へ流入する高温高圧の冷媒によって加熱される。
【００１６】
また、圧縮機１１の回転数が上がるほど冷媒の単位時間あたりの流量は増加するため、室内熱交換２１へ流入する冷媒と室内空気との熱交換量が多くなるので、空気調和機１の空調能力は増加する。さらに、室内ファンモータ２２ｂの回転数ＲＦが上がるほど室内熱交換器２１へ送風される室内空気の流量が増加するため、より多くの室内空気が室内熱交換器２１と熱交換を行うので、空気調和機１の空調能力は増加する。
【００１７】
図３は、本発明に係る空気調和機のブロック線図である。空気調和機１には、制御装置３０と、少なくともユーザーが室内設定温度Ｔｍ及び室内機２０の風量の選択が可能な操作部４０が設けられている。制御装置３０には、少なくとも圧縮機１１、四方弁１２、室外温度センサ１６、室内ファンモータ２２ｂ及び操作部４０が通信可能に接続されている。また、制御装置３０には、操作部４０より選択された室内設定温度Ｔｍ及び風量と、予め定められた閾温度差Ｔ１を記憶する記憶部３１と、圧縮機１１，四方弁１２及び室内ファンモータ２２ｂの制御を行う制御部３２と、室内設定温度Ｔｍと室外温度Ｔの温度差を演算する演算部３３と、室内設定温度Ｔｍと室外温度Ｔの温度差を閾温度差Ｔ１と比較する判定部３４と、を有している。
【００１８】
さらに、記憶部３１は、予め異なった風量がそれぞれ設定された複数の設定風量と、それぞれの設定風量に相当する室内ファンモータ２２ｂの回転数である設定回転数ＲＦ１と、設定風量に対応しており当該設定風量（本発明の第１の設定風量に相当）に相当する設定回転数ＲＦ１（本発明の第１の設定回転数に相当）よりも低く予め設定された低下設定回転数ＲＦ２（本発明の第３の設定回転数に相当）と、を記憶している。低下設定回転数ＲＦ２は、当該低下設定回転数ＲＦ２に対応した設定風量より一つ下の段階の設定風量（本発明の第２の設定風量に相当）における設定回転数ＲＦ１（本発明の第２の設定回転数に相当）よりも高い回転数に設定されている。例えば「強」「中」「弱」の３段階の設定風量を用意しており、「強」の設定回転数をＲＦＬ１、「強」の低下設定回転数をＲＦＬ２、「中」の設定回転数をＲＦＭ１、「中」の低下設定回転数をＲＦＭ２、「弱」の設定回転数をＲＦＳ１、「弱」の低下設定回転数をＲＦＳ２とした場合、ＲＦＬ１＞ＲＦＬ２＞ＲＦM１＞ＲＦＭ２＞ＲＦＳ１＞ＲＦＳ２の関係が成立する。この例の場合、本発明における第１の設定風量を「強」と仮定すると、第２の設定風量は「中」に、第１の設定回転数はＲＦＬ１に、第２の設定回転数はＲＦM１に、第３の設定回転数はＲＦＬ２に、それぞれ相当する。さらに第１の設定風量を「中」と仮定すると、第２の設定風量は「弱」に、第１の設定回転数はＲＦＭ１に、第２の設定回転数はＲＦＳ１に、第３の設定回転数はＲＦＭ２に、それぞれ相当する。また、室内ファンモータ２２ｂの回転数が小さくなりすぎると、回転むらによる振動や、冷房運転時に室内熱交換器２１で冷媒が十分に気化せず液体状態で圧縮機１１に吸入されて故障の原因になるなどの問題が生じるため、室内ファンモータ２２ｂには最低回転数が設定されていることが多い。このため、最も風量が少ない設定風量における低下設定回転数ＲＦ２は、室内ファンモータ２２ｂの最低回転数よりも高く設定されている。
【００１９】
室内機２０の風量の設定は、操作部４０よりユーザーが設定風量の中よりいずれか一つを選択し、選択された設定風量に応じて室内ファンモータ２２ｂの回転数ＲＦを設定回転数ＲＦ１に制御することにより達成している。例えば、操作部４０より設定風量の中から「強」を選択されると、室内ファンモータ２２ｂは回転数ＲＦＬ１で回転し、室内機２０の風量は「強」の風量に設定される。
【００２０】
次に従来の空気調和機の場合における空調能力の制御について説明を行う。図４は、従来の空気調和機に係る冷房運転時の室外温度と室内設定温度の差に対する空調負荷と空気調和機の空調能力を表したグラフである。図５は、従来の空気調和機に係る冷房運転時の室外温度と室内設定温度の差に対する室内ファンモータの回転数を表したグラフである。図６は、従来の空気調和機に係る冷房運転時の室外温度と室内設定温度の差に対する圧縮機の回転数を表したグラフである。なお、従来の空気調和機の構成は実施の形態１の空気調和機１と同様であり、図１のように四方弁はＡポートとＤポートを接続し、ＢポートとＣポートを接続され空気調和機は冷房運転の状態である。Ｔｍは、操作部４０で選択された室内空気の室内設定温度であり、制御部３２は、室内の温度を室内設定温度Ｔｍで保つように空気調和機の制御を行う。なお、図４、図５及び図６のグラフは、室内温度はＴｍと等しい場合におけるグラフである。
【００２１】
本発明における空調負荷は、室内の温度，湿度又はエンタルピー等の空気状態を一定に保つために室外から室内へ侵入する熱量を除くために必要な熱負荷である。そのため、空調負荷は、一般的に室外温度Ｔと室内温度つまり室内設定温度Ｔｍの差が拡大するほど大きくなる。また、室外温度Ｔと室内設定温度Ｔｍの差が０になるＴｍ＝Ｔの場合では、室外から室内へ侵入する熱量は無くなるため、空調負荷も０となる。また、図４は冷房運転時を想定しているため、室外温度が室内設定温度Ｔｍに比べて小さい、Ｔｍ＞Ｔの場合における空調負荷は０と考える。つまり、Ｔｍ≧Ｔの場合では空調負荷は０となり、Ｔｍ＜Ｔの場合では室外温度Ｔと室内設定温度Ｔｍの差が拡大するほど、つまり（Ｔ−Ｔｍ）の値が大きいほど空調負荷が大きくなるため図４のようなグラフとなる。
【００２２】
従来の空気調和機の場合では、制御装置３０は、室外温度センサ１６が測定した室外温度Ｔを取得し、予め記憶部３１に記憶されている室内設定温度Ｔｍと、選択された設定風量と、測定した室外温度Ｔに応じて圧縮機１１の回転数を制御し、空調能力を空調負荷と略同等になるように制御をする。この際、圧縮機１１の回転数ＲＣの制御方法は、制御装置３０が室外温度Ｔと室内設定温度Ｔｍの差より空調負荷を演算し、その演算結果と選択された設定風量に応じて決定する方法、又は予め室外温度Ｔと室内設定温度Ｔｍの差及び設定風量によって圧縮機１１の回転数が特定されるように関連付けが制御装置３０に記憶されており、その関連付けと制御時の室内設定温度Ｔｍと室外温度Ｔに応じて決定する方法がある。また、室内ファンモータ２２ｂの回転数ＲＦは、室内設定温度と室外温度に関わらず、操作部４０より選択された設定風量に応じた設定回転数ＲＦ１で一定であり、例えば「強」が設定されている場合は、室内ファンモータ２２ｂの回転数ＲＦはＲＦＬ１で一定である。
【００２３】
室内ファンモータ２２ｂの回転数ＲＦが操作部４０より選択された設定風量に応じた設定回転数ＲＦ１であり、圧縮機１１の回転数が最低回転数ＲＣminである場合の空調能力と同等の空調負荷となる室外温度Ｔと室内設定温度Ｔｍの差を限界温度差Ｔ２とする。従来の空気調和機では、（Ｔ−Ｔｍ）≧Ｔ２の場合は圧縮機１１の回転数を制御することで空調能力を空調負荷と略同等になるように制御ができるが、（Ｔ−Ｔｍ）＜Ｔ２の場合は圧縮機１１を最低回転数ＲＣminとしても空調能力が空調負荷を上回るため、圧縮機１１は運転・停止を繰り返さなければならない。そのため、（Ｔ−Ｔｍ）＜Ｔ２の場合は、圧縮機１１が停止時に冷媒及び冷凍サイクルを構成する部材がそれぞれ室内温度又は室外温度へ近づいてしまい、圧縮機１１を運転する際には冷媒及び冷凍サイクルを構成する部材を再び冷凍サイクル運転時の温度に戻す必要がある。また、一般的に圧縮機１１において、起動を開始するための消費電力と、回転を維持するための消費電力では、起動を開始するための消費電力の方が多い。このため、最低回転数ＲＣminで連続運転する場合よりも運転・停止を繰り返す場合の方が、エネルギー消費効率は悪化する。
【００２４】
次に本発明の実施の形態１の空気調和機の場合における空調能力の制御について説明を行う。図７は、実施の形態１の空気調和機に係る冷房運転時の室外温度と室内設定温度の差に対する空調負荷と空気調和機の空調能力を表したグラフである。図８は、実施の形態１の空気調和機に係る冷房運転時の室外温度と室内設定温度の差に対する室内ファンモータの回転数を表したグラフである。図９は、実施の形態１の空気調和機に係る冷房運転時の室外温度と室内設定温度の差に対する圧縮機の回転数を表したグラフである。また、空気調和機は、図１のように四方弁はＡポートとＤポートを接続し、ＢポートとＣポートを接続され、冷房運転の状態である。
【００２５】
実施の形態１の空気調和機１の場合では、制御装置３０は、室外温度センサ１６が測定した室外温度Ｔを取得し、予め記憶されている室内設定温度Ｔｍと測定した室外温度Ｔを基に圧縮機１１及び室内ファンモータ２２ｂの回転数を制御し、空調能力を空調負荷と略同等になるように制御をする。具体的には、室内ファンモータ２２ｂの回転数ＲＦは、室外温度Ｔと室内設定温度Ｔｍの差が予め設定された閾温度差Ｔ１以上の場合には、操作部４０より選択された設定風量に応じた設定回転数ＲＦ１で回転し、閾温度差Ｔ１よりも小さい場合には、操作部４０より選択された設定風量に応じた低下設定回転数ＲＦ２で回転する。例えば、設定風量が「強」を選択されている場合では、（Ｔ−Ｔｍ）≧Ｔ１の領域では室内ファンモータ２２ｂは設定回転数のＲＦＬ１で回転し、（Ｔ−Ｔｍ）＜Ｔ１の領域では室内ファンモータ２２ｂは低下設定回転数のＲＦＬ２で回転する。なお、閾温度差Ｔ１は、限界温度差Ｔ２よりも高い温度差に設定され、Ｔ２＜Ｔ１が成立する。
【００２６】
また、圧縮機１１は、制御装置３０によって空調能力を空調負荷と略同等になるように制御される。従来の空気調和機とは異なり、室外温度Ｔと室内設定温度Ｔｍの差が閾温度差Ｔ１の場合に室内ファンモータ２２ｂの回転数が変更されるため、それに応じて圧縮機１１の回転数も閾温度差Ｔ１で変化する。ただし、室内ファンモータ２２ｂの回転数は室外温度Ｔと室内設定温度Ｔｍによって確定するため、従来の空気調和機と同じく、制御装置３０は室内設定温度Ｔｍと、測定した室外温度Ｔと、選択された設定風量に応じて圧縮機１１の回転数を制御することができる。
【００２７】
実施の形態１において、空調能力の制御を行うためのフローチャートについて説明をする。図１０は、実施の形態１の空気調和機に係る冷房運転時の空調能力の制御のフローチャートである。ステップＳ１では、制御装置３０は、室外温度Ｔを室外温度センサ１６より取得する。室外温度Ｔを取得後、ステップＳ２に進み、演算部３３は、ステップＳ１で取得した室外温度Ｔと記憶部３１に記憶されている室内設定温度Ｔｍの差（Ｔ−Ｔｍ）を演算する。（Ｔ−Ｔｍ）の演算後、ステップＳ３に進み、判定部３４は、（Ｔ−Ｔｍ）の演算結果と予め設定されている閾温度差Ｔ１とを比較し閾温度差Ｔ１の方が高いか、つまり（Ｔ−Ｔｍ）＜Ｔ１の条件を満たすかを判定する。条件を満たす場合はステップＳ４へ進み、制御部３２は、室内ファンモータ２２ｂの回転数ＲＦを操作部４０より選択された設定風量に応じた低下設定回転数ＲＦ２に制御する。条件を満たさない場合はステップＳ５に進み、制御部３２は、室内ファンモータ２２ｂの回転数ＲＦを操作部４０より選択された設定風量に応じた設定回転数ＲＦ１に制御する。ステップＳ４及びステップＳ５において室内ファンモータ２２ｂの回転数ＲＦを制御後、ステップＳ６に進み、制御部３２は、圧縮機１１の回転数ＲＣを室外温度Ｔと、室内設定温度Ｔｍと、選択された設定風量に基づき制御する。圧縮機１１の回転数を制御後、ステップＳ１へ戻る。
【００２８】
実施の形態１における空気調和機１は（Ｔ−Ｔｍ）＜Ｔ１の場合では室内ファンモータ２２ｂは設定回転数ＲＦ１よりも低い回転数である低下設定回転数ＲＦ２で回転する。そのため、実施の形態１における空気調和機１は室内ファンモータ２２ｂの回転数がＲＦ２であり、圧縮機１１の回転数が最低回転数ＲＣminとした場合の空調能力と同等の空調負荷となる室外温度Ｔと室内設定温度Ｔｍの差である第二限界温度差Ｔ３まで下げることができる。設定回転数ＲＦ１と低下設定回転数ＲＦ２の関係は、ＲＦ１＞ＲＦ２であるので、限界温度差Ｔ２と第二限界温度差Ｔ３の間には、Ｔ２＞Ｔ３の関係が成り立ち、実施の形態１における空気調和機１は従来の空気調和機よりも空調能力を空調負荷と略同等になるように制御できる範囲が広い。つまり、実施の形態１における空気調和機１の方が、従来の空気調和機よりも圧縮機の運転・停止を繰り返しが発生する室外温度Ｔと室内設定温度Ｔｍの差がより狭くなり、頻繁な圧縮機の運転・停止が抑制される。そのため、圧縮機の運転・停止の繰り返しによるエネルギー消費量が抑制され、エネルギー消費効率が改善する。
【００２９】
以上のように、実施の形態１の空気調和装置は、室外温度Ｔと、室内設定温度Ｔｍの差が閾温度Ｔ１よりも低い場合に室内ファンモータ２２ｂの回転数を下げるように制御するため、頻繁な圧縮機の運転・停止を抑制され、エネルギー消費効率が改善する。特に、設定風量が「強」の状態などの室内ファンモータ２２ｂの回転数が他の設定風量と比べて高い場合では、圧縮機の運転・停止の繰り返しが発生する限界温度差Ｔ２が他の設定風量時と比べて高い温度差であるため、より高い効果を得ることができる。さらに、低下設定回転数ＲＦ２は、当該低下設定回転数ＲＦ２の設定風量より下の段階の設定風量における設定回転数ＲＦ１よりも高い回転数であるため、室内ファンモータ２２ｂの回転数は（Ｔ−Ｔｍ）＜Ｔ１の場合であっても下の段階の設定風量以下にはならないため、ユーザーが室内機の風量の変化に気づきにくくなる。
【００３０】
なお、実施の形態１では設定風量が「強」の状態のみを例にして説明をしているが、これに限らず、例えば設定風量が「中」又は設定風量が「小」の状態では、（Ｔ−Ｔｍ）≧Ｔ１の場合において室内ファンモータ２２ｂの回転数をそれぞれの設定回転数であるＲＦＭ１又はＲＦＳ１に制御し、（Ｔ−Ｔｍ）＜Ｔ１において室内ファンモータ２２ｂの回転数をＲＦＭ１又はＲＦＳ１よりも低く定められたそれぞれの低下設定回転数であるＲＦＭ２又はＲＦＳ２に制御するようにしても良い。つまり、複数段階の設定風量が設定できる場合において、各設定風量に応じて、室内ファンモータ２２ｂの設定回転数ＲＦ１よりも低い低下設定回転数ＲＦ２を予めそれぞれ設定し、（Ｔ−Ｔｍ）＜Ｔ１の条件を満たす場合は、室内ファンモータ２２ｂを低下設定回転数ＲＦ２に制御するような構成でも良い。なお、いずれの場合も低下設定回転数は下の段階の設定風量の設定回転数を下回らないように設定することで、ユーザーが室内機の風量の変化に気づきにくくなる。また、設定回転数ＲＦ１と低下設定回転数ＲＦ２の差が騒音値−２ｄＢ以下に相当するような回転数にそれぞれ設定することにより、さらにユーザーは室内機の風量の変化に気づきにくくなる。
【００３１】
また、複数の設定風量から風量を設定できる場合において、空調能力の制御を行う際に室内ファンモータ２２ｂの制御を行わない設定風量があっても良い。例えば、設定風量が「強」「中」は、図１０のフローチャートに従い、室外温度Ｔと室内設定温度Ｔｍに応じて室内ファンモータ２２ｂの回転数ＲＦを変更し、設定風量が「弱」の場合は室外温度Ｔと室内設定温度Ｔｍに関係なく室内ファンモータを設定回転数ＲＦＳ１で回転するよう制御しても良い。
【００３２】
さらに、室内設定温度Ｔｍに応じて閾温度差Ｔ１の値を変更しても良い。室内設定温度Ｔｍに応じて閾温度差Ｔ１の値を変更する場合は、（Ｔ−Ｔｍ）＝Ｔ１の場合における外気温度Ｔが３５℃よりも小さくなるように、室内設定温度Ｔｍに応じた閾温度差Ｔ１を設定することが望ましい。例えば、室内設定温度Ｔｍが２８℃に設定されている場合は、Ｔ１は７℃よりも低い値に設定される方が望ましい。これは、ＪＩＳ  Ｃ９６１２には冷房運転時の空調能力試験では外気温度は３５℃と定められており、外気温度３５℃において空気調和機１が最高の空調能力を発揮できるように設定した方が望ましいからである。
【００３３】
また、実施の形態１では、室外温度Ｔと室内設定温度Ｔｍの差が閾温度差Ｔ１以下である場合に室内ファンモータ２２ｂを低下設定回転数ＲＦ２に制御しているが、これに限らず、室内設定温度Ｔｍに応じた閾温度Ｔ１２が記憶部３１に記憶され、室外温度Ｔが閾温度Ｔ１２よりも高い場合は室内ファンモータ２２ｂを設定回転数ＲＦ１で制御し、室外温度Ｔが閾温度Ｔ１２よりも低い場合は室内ファンモータ２２ｂを低下設定回転数ＲＦ２に制御しても良い。例えば、図１１の実施の形態１の変形例における室内設定温度Ｔｍと閾温度Ｔ１２の対応表のように、室内設定温度Ｔｍに対して閾温度Ｔ１２が決定され、決定された閾温度Ｔ１２と室外温度Ｔを比較して室内ファンモータ２２ｂの回転数を変更しても良い。また、ＪＩＳ  Ｃ９６１２より閾温度Ｔ１２は、３５℃以下に設定した方が望ましい。
【００３４】
図１２は、実施の形態１の空気調和機に係る暖房運転時の室外温度と室内設定温度の差に対する空調負荷と空気調和機の空調能力を表したグラフである。図１３は、実施の形態１の空気調和機に係る暖房運転時の室外温度と室内設定温度の差に対する室内ファンモータの回転数を表したグラフである。図１４は、実施の形態１の空気調和機に係る暖房運転時の室外温度と室内設定温度の差に対する圧縮機の回転数を表したグラフである。実施の形態１では、空気調和機１が冷房運転の時のみについて説明を行ったが、暖房運転の時にも同様の制御が行える。暖房運転の場合は、室外温度が室内設定温度Ｔｍに比べて大きい、Ｔｍ＜Ｔの場合における空調負荷は０と考える。つまり、Ｔｍ≦Ｔの場合では空調負荷は０となり、Ｔｍ＞Ｔの場合では室外温度Ｔと室内設定温度Ｔｍの差（Ｔｍ−Ｔ）が拡大するほど空調負荷が大きくなる。そのため、冷房運転の場合では、室外温度Ｔと室内設定温度Ｔｍの差を（Ｔ−Ｔｍ）で導出していたが、暖房運転の場合は（Ｔｍ−Ｔ）で導出することを除くと略同様の制御が適応できる。なお、閾温度差Ｔ１、設定回転数ＲＦ１及び低下設定回転数ＲＦ２は、冷房運転時と暖房運転時と異なっても良いし、また同じであっても構わない。
【００３５】
また、暖房運転時に室内設定温度Ｔｍに応じて閾温度差Ｔ１の値を変更する場合は、室内設定温度Ｔｍと閾温度差Ｔ１の差、つまり（Ｔｍ−Ｔ）＝Ｔ１の場合における外気温度Ｔが７℃よりも小さくなるように、室内設定温度Ｔｍに応じた閾温度差Ｔ１を設定することが望ましい。例えば室内設定温度Ｔｍが２０℃に設定されている場合は、Ｔ１は１３℃よりも低い値に設定される方が望ましい。これはＪＩＳ  Ｃ９６１２には暖房運転時の空調能力試験では外気温度は７℃と定められており、外気温度７℃において空気調和機１が最高の空調能力を発揮できるように設定した方が望ましいからである。
【００３６】
図１５は、実施の形態１の空気調和機に係る暖房運転時の空調能力の制御のフローチャートである。冷房運転時と異なる点はステップＳ１２及びステップＳ１３のみであり、ステップＳ１１，Ｓ１４，Ｓ１５，Ｓ１６は、それぞれステップＳ１，Ｓ４，Ｓ５，Ｓ６と同様の処理を行う。ステップＳ１２において、演算部３３は、記憶部３１に記憶されている室内設定温度ＴｍとステップＳ１１で取得した室外温度Ｔの差（Ｔｍ−Ｔ）を演算する。（Ｔｍ−Ｔ）の演算後、ステップＳ１３に進み、判定部３４は、（Ｔｍ−Ｔ）の演算結果と予め設定されている閾温度差Ｔ１とを比較し閾温度差Ｔ１の方が高いか、つまり（Ｔｍ−Ｔ）＜Ｔ１の条件を満たすかを判定する。条件を満たす場合はステップＳ１４へ進み、満たさない場合はステップＳ１５へと進む。
【００３７】
実施の形態２．
実施の形態２の空気調和機の場合における空調能力の制御について説明を行う。図１６は、実施の形態２の空気調和機に係る冷房運転時の室外温度と室内設定温度の差に対する室内ファンモータの回転数を表したグラフである。図１７は、実施の形態２の空気調和機に係る冷房運転時の室外温度と室内設定温度の差に対する圧縮機の回転数を表したグラフである。記憶部３１に各設定風量時の第二限界温度差Ｔ３が記憶され、判定部３４が第二限界温度差Ｔ３と、室外温度Ｔと室内設定温度Ｔｍの差を比較すること以外は、実施の形態１と同様であるので割愛する。また、実施の形態２の空気調和機に係る冷房運転時の室外温度と室内設定温度の差に対する空調負荷と空気調和機の空調能力を表したグラフは、図７と同様であるため、割愛する。
【００３８】
実施の形態２の空気調和機１では、実施の形態１と同じく、制御装置３０は、室外温度センサ１６が測定した室外温度Ｔを取得し、予め記憶されている室内設定温度Ｔｍと測定した室外温度Ｔを基に圧縮機１１及び室内ファンモータ２２ｂの回転数を制御し、空調能力を空調負荷と略同等になるように制御をする。具体的には、室内ファンモータ２２ｂは、室外温度Ｔと室内設定温度Ｔｍの差が予め設定された閾温度差Ｔ１以上の場合には、操作部４０より選択された設定風量に応じた設定回転数ＲＦ１で回転し、閾温度差Ｔ１よりも小さい場合には、室外温度Ｔと室内設定温度Ｔｍの差が小さくなるに従って連続的又は段階的に回転数が減少するように制御される。室内ファンモータ２２ｂの回転数の下限は、低下設定回転数ＲＦ２に設定されており、室内ファンモータ２２ｂの回転数が低下設定回転数ＲＦ２であり圧縮機１１の回転数が最低回転数ＲＣminとした場合の空調能力と同等の空調負荷となる室外温度Ｔと室内設定温度Ｔｍの差が第二限界温度差Ｔ３となる。また、第二限界温度差Ｔ３は低下設定回転数ＲＦ２に応じて変化するため、第二限界温度差Ｔ３は設定風量に対応して記憶部３１に記憶されている。室内ファンモータ２２ｂは、室外温度Ｔと室内設定温度Ｔｍの差が、第二限界温度差Ｔ３より小さい場合には、低下設定回転数ＲＦ２で回転する。つまり、室内ファンモータ２２ｂの回転数ＲＦは、（Ｔ−Ｔｍ）＞Ｔ１の場合には設定回転数ＲＦ１に設定され、Ｔ１＞（Ｔ−Ｔｍ）＞Ｔ３の場合にはＲＦ１＞ＲＦ＞ＲＦ２を満たす回転数ＲＦに設定され、Ｔ３＞（Ｔ−Ｔｍ）の場合には低下設定回転数ＲＦ２に設定される。また、Ｔ１＞（Ｔ−Ｔｍ）＞Ｔ３の場合の室内ファンモータ２２ｂの回転数ＲＦは、室外温度Ｔと室内設定温度Ｔｍの差と、設定風量とに関連付けられて設定されており、その関連付けは制御装置３０に設定されている。つまり、室内ファンモータ２２ｂの回転数ＲＦは室内設定温度Ｔｍと、測定した室外温度Ｔと、選択された設定風量と、に応じて予め設定された回転数に制御される。さらに、低下設定回転数ＲＦ２は、当該低下設定回転数ＲＦ２の設定風量より下の段階の設定風量における設定回転数ＲＦ１よりも高い回転数に設定されている。
【００３９】
また、圧縮機１１は、制御装置３０によって空調能力を空調負荷と略同等になるように制御される。Ｔ１＞（Ｔ−Ｔｍ）＞Ｔ３の場合も室内ファンモータ２２ｂの回転数は室内設定温度Ｔｍと、室外温度Ｔと、設定風量により特定できるため、実施の形態１と同じく、室内ファンモータ２２ｂの回転数は室外温度Ｔと、室内設定温度Ｔｍと、設定風量によって確定する。そのため、従来の空気調和機と同じく、制御装置３０は室内設定温度Ｔｍと、測定した室外温度Ｔと、選択された設定風量に応じて圧縮機１１の回転数を制御することができる。
【００４０】
実施の形態２において、空調能力の制御を行うためのフローチャートについて説明をする。図１８は、実施の形態２の空気調和機に係る冷房運転時の空調能力の制御のフローチャートである。ステップＳ２１では、制御装置３０は、室外温度Ｔを室外温度センサ１６より取得する。室外温度Ｔを取得後、ステップＳ２２に進み、演算部３３は、ステップＳ２１で取得した室外温度Ｔと記憶部３１に記憶されている室内設定温度Ｔｍの差、（Ｔ−Ｔｍ）を演算する。（Ｔ−Ｔｍ）の演算後、ステップＳ２３に進み、判定部３４は、（Ｔ−Ｔｍ）の演算結果と記憶部３１に記憶されている閾温度差Ｔ１とを比較し閾温度差Ｔ１の方が高いか、つまり（Ｔ−Ｔｍ）＜Ｔ１の条件を満たすかを判定する。ステップＳ２３の条件を満たす場合はステップＳ２４へ進む。ステップＳ２４では、判定部３４は、（Ｔ−Ｔｍ）の演算結果と記憶部３１に記憶された設定風量に応じた第二限界温度差Ｔ３とを比較し、（Ｔ−Ｔｍ）が第二限界温度差Ｔ３以下であるか、つまり（Ｔ−Ｔｍ）≦Ｔ３の条件を満たすかを判定する。ステップＳ２４の条件を満たす場合は、ステップＳ２５に進み、制御部３２は、室内ファンモータ２２ｂの回転数ＲＦを設定風量に応じた低下設定回転数ＲＦ２に制御する。ステップＳ２４の条件を満たさない場合は、ステップＳ２６に進み、制御部３２は、室内ファンモータ２２ｂの回転数ＲＦをＲＦ１＞ＲＦ＞ＲＦ２を満たし、室外温度Ｔと、室内設定温度Ｔｍと、設定風量と、に関連付けられて設定された回転数に制御される。また、ステップＳ２３の条件を満たさない場合は、ステップＳ２７に進み、制御部３２は、室内ファンモータ２２ｂの回転数ＲＦを設定風量に応じた設定回転数ＲＦ１に制御する。ステップＳ２５、ステップＳ２６及びステップＳ２７において室内ファンモータ２２ｂの回転数を制御後、ステップＳ２８に進み、制御装置３０は、圧縮機１１の回転数を室外温度Ｔ、室内設定温度Ｔｍに基づき制御する。圧縮機１１の回転数ＲＣを制御後、ステップＳ２１へ戻る。
【００４１】
実施の形態２のように空調能力の制御を行うことによって、実施の形態１と同様の効果を奏する。さらに、実施の形態１では閾温度差Ｔ１を境に室内ファンモータ２２ｂの回転数を設定回転数ＲＦ１又は低下設定回転数ＲＦ２に変更していたが、実施の形態２ではＴ１＞（Ｔ−Ｔｍ）＞Ｔ３の場合において、連続的又は段階的に室内ファンモータ２２ｂの回転数を変更するため、室内風量が急激に変更されず、ユーザーは室内機の風量の変化に気づきにくくなる。
【００４２】
なお、実施の形態２ではＴ１＞（Ｔ−Ｔｍ）＞Ｔ３の場合のみ、室内ファンモータ２２ｂの回転数ＲＦは、室外温度Ｔと室内設定温度Ｔｍの差と設定風量とに関連付けられて設定されているが、これに限らず、（Ｔ−Ｔｍ）＞Ｔ１の範囲では設定回転数ＲＦ１、Ｔ３＞（Ｔ−Ｔｍ）の範囲では低下設定回転数ＲＦ２になるように、それぞれ室外温度Ｔと室内設定温度Ｔｍの差（Ｔ−Ｔｍ）と、設定風量とに関連付けられて設定され、（Ｔ−Ｔｍ）の演算を行った後に、（Ｔ−Ｔｍ）と設定風量に応じた風量に設定し、（Ｔ−Ｔｍ）を閾温度差Ｔ１及び第二限界温度差Ｔ３と比較せずに室内ファンモータ２２ｂの回転数ＲＦを制御しても良い。
【００４３】
また、実施の形態１と同様に、実施の形態２においても室外温度Ｔと室内設定温度Ｔｍの差を（Ｔｍ−Ｔ）で導出することで暖房運転時にも同様の制御が行える。図１９は、実施の形態２の空気調和機に係る暖房運転時の空調能力の制御のフローチャートである。冷房運転時と異なる点はステップＳ３２，ステップＳ３３及びステップＳ３４のみであり、ステップＳ３１，Ｓ３５，Ｓ３６，Ｓ３７，Ｓ３８はそれぞれステップＳ２１，Ｓ２５，Ｓ２６，Ｓ２７，Ｓ２８と同様である。ステップＳ３２では、演算部３３は、予め設定されている室内設定温度Ｔｍと、ステップＳ３１で取得した室外温度Ｔの差、（Ｔｍ−Ｔ）を演算する。（Ｔｍ−Ｔ）の演算後、ステップＳ３３に進み、判定部３４は、（Ｔｍ−Ｔ）の演算結果と予め設定されている閾温度差Ｔ１とを比較し閾温度差Ｔ１の方が高いか、つまり（Ｔｍ−Ｔ）＜Ｔ１の条件を満たすかを判定する。ステップＳ３３の条件を満たす場合はステップＳ３４へ進み、満たさない場合はステップＳ３７へ進む。ステップＳ３４では、判定部３４は、（Ｔｍ−Ｔ）の演算結果と記憶部３１に記憶された設定風量に応じた第二限界温度差Ｔ３とを比較し、（Ｔｍ−Ｔ）が第二限界温度差Ｔ３以下か、つまり（Ｔｍ−Ｔ）≦Ｔ３の条件を満たすかを判定する。ステップＳ３４の条件を満たす場合はステップＳ３５に進み、満たさない場合はステップＳ３６へ進む。
【００４４】
さらに、実施の形態１と同様に、低下設定回転数ＲＦ２を、当該低下設定回転数ＲＦ２の設定風量より一つ下の段階の設定風量における設定回転数ＲＦ１よりも低い回転数に設定することによって、ユーザーは室内機の風量の変化により気づきにくくなる。また、複数段階の設定風量が設定できる場合において、各設定風量に応じて低下設定回転数ＲＦ２を予めそれぞれ設定しても良いし、空調能力の制御時に室内ファンモータ２２ｂの制御を行わない設定風量があっても良い。
【００４５】
実施の形態３．
実施の形態３の空気調和機の場合における空調能力の制御について説明を行う。図２０は、実施の形態３の空気調和機に係る冷房運転時の室外温度と室内設定温度の差に対する室内ファンモータの回転数を表したグラフである。図２１は、実施の形態３の空気調和機に係る冷房運転時の室外温度と室内設定温度の差に対する圧縮機の回転数を表したグラフである。なお、空気調和機の構成については、記憶部３１に各設定風量時の限界温度差Ｔ２及び第二限界温度差Ｔ３が記憶され、判定部３４が限界温度差Ｔ２及び第二限界温度差Ｔ３と、室外温度Ｔと室内設定温度Ｔｍの差を比較すること以外は、実施の形態１と同様であるので割愛する。また、実施の形態３の空気調和機に係る冷房運転時の室外温度と室内設定温度の差に対する空調負荷と空気調和機の空調能力を表したグラフは、図７と同様であるため、割愛する。
【００４６】
実施の形態３の空気調和機１では、実施の形態１と同じく、制御装置３０は、室外温度センサ１６が測定した室外温度Ｔを取得し、予め記憶されている室内設定温度Ｔｍと測定した室外温度Ｔを基に圧縮機１１及び室内ファンモータ２２ｂの回転数を制御し、空調能力を空調負荷と略同等になるように制御をする。具体的には、室内ファンモータ２２ｂは、室外温度Ｔと室内設定温度Ｔｍの差が限界温度差Ｔ２以上の場合は、設定風量に応じた設定回転数ＲＦ１で回転し、限界温度差Ｔ２よりも小さい場合には室外温度Ｔと室内設定温度Ｔｍの差が小さくなるに従って連続的又は段階的に回転数が減少するように制御される。実施の形態２と同じく、室内ファンモータ２２ｂの回転数の下限は、低下設定回転数ＲＦ２に設定されており、室内ファンモータ２２ｂの回転数が低下設定回転数ＲＦ２であり圧縮機１１の回転数が最低回転数ＲＣminとした場合の空調能力と同等の空調負荷となる室外温度Ｔと室内設定温度Ｔｍの差が第二限界温度差Ｔ３となる。また、限界温度差Ｔ２は設定回転数ＲＦ１に応じて変化し、第二限界温度差Ｔ３は低下設定回転数ＲＦ２に応じて変化するため、限界温度差Ｔ２及び第二限界温度差Ｔ３は設定風量に関連付けられて記憶部３１に記憶されている。室内ファンモータ２２ｂは、室外温度Ｔと室内設定温度Ｔｍの差が、第二限界温度差Ｔ３より小さい場合には、低下設定回転数ＲＦ２で回転する。つまり、室内ファンモータ２２ｂの回転数ＲＦは、（Ｔ−Ｔｍ）＞Ｔ２の場合には設定回転数ＲＦ１に設定され、Ｔ２＞（Ｔ−Ｔｍ）＞Ｔ３の場合にはＲＦ１＞ＲＦ＞ＲＦ２を満たす回転数ＲＦに設定され、Ｔ３＞（Ｔ−Ｔｍ）の場合には低下設定回転数ＲＦ２に設定される。また、Ｔ２＞（Ｔ−Ｔｍ）＞Ｔ３の場合の室内ファンモータ２２ｂの回転数ＲＦは、室外温度Ｔと室内設定温度Ｔｍの差と、設定風量と、圧縮機１１の最低回転数時の能力より圧縮機１１の最低回転数時に空調能力が空調負荷と略同等となる室内ファンモータの回転数ＲＦになるよう記憶部３１に設定されている。圧縮機１１の最低回転数時の能力は同じ圧縮機１１であれば一定であるので、室内ファンモータ２２ｂの回転数ＲＦは室内設定温度Ｔｍと、測定した室外温度Ｔと、設定風量と、に応じて予め設定された回転数に制御される。さらに、低下設定回転数ＲＦ２は、当該低下設定回転数ＲＦ２の設定風量より下の段階の設定風量における設定回転数ＲＦ１よりも高い回転数に設定されている。
【００４７】
実施の形態３において、空調能力の制御を行うためのフローチャートについて説明をする。図２２は、実施の形態３の空気調和機に係る冷房運転時の空調能力の制御のフローチャートである。ステップＳ４１では、制御装置３０は、室外温度Ｔを室外温度センサ１６より取得する。室外温度Ｔを取得後、ステップＳ４２に進み、演算部３３は、ステップＳ４１で取得した室外温度Ｔと記憶部３１に記憶されている室内設定温度Ｔｍの差、（Ｔ−Ｔｍ）を演算する。（Ｔ−Ｔｍ）の演算後、ステップＳ４３に進み、判定部３４は、（Ｔ−Ｔｍ）の演算結果と記憶部３１に記憶されている限界温度差Ｔ２とを比較し限界温度差Ｔ２の方が高いか、つまり（Ｔ−Ｔｍ）＜Ｔ２の条件を満たすかを判定する。ステップＳ４３の条件を満たす場合はステップＳ４４へ進む。ステップＳ４４では、判定部３４は、（Ｔ−Ｔｍ）の演算結果と記憶部３１に記憶されている第二限界温度差Ｔ３とを比較し、（Ｔ−Ｔｍ）が第二限界温度差Ｔ３以下であるか、つまり（Ｔ−Ｔｍ）≦Ｔ３の条件を満たすかを判定する。ステップＳ４４の条件を満たす場合は、ステップＳ４５に進み、制御部３２は、室内ファンモータ２２ｂの回転数ＲＦを設定風量に応じた低下設定回転数ＲＦ２に制御する。ステップＳ４４の条件を満たさない場合は、ステップＳ４６に進み、制御部３２は、室内ファンモータ２２ｂの回転数ＲＦをＲＦ１＞ＲＦ＞ＲＦ２を満たし、室外温度Ｔと、室内設定温度Ｔｍと、設定風量と、に応じて予め設定された回転数に制御される。また、ステップＳ４３の条件を満たさない場合はステップＳ４７へ進み、制御部３２は、室内ファンモータ２２ｂの回転数ＲＦを設定風量に応じた設定回転数ＲＦ１に制御する。ステップＳ４５、ステップＳ４６及びステップＳ４７において室内ファンモータ２２ｂの回転数を制御後、ステップＳ４８に進み、圧縮機１１の回転数ＲＣを室外温度Ｔと、室内設定温度Ｔｍと、設定風量に基づき制御し、制御の終了後にステップＳ４１へ戻る。
【００４８】
また、圧縮機１１は、制御装置３０によって空調能力を空調負荷と略同等になるように制御される。Ｔ２＞（Ｔ−Ｔｍ）＞Ｔ３の場合も室内ファンモータ２２ｂの回転数は室内設定温度Ｔｍと、室外温度Ｔと、設定風量により特定できるため、実施の形態１と同じく、室内ファンモータ２２ｂの回転数は室外温度Ｔと、室内設定温度Ｔｍと、設定風量によって確定する。そのため、従来の空気調和機と同じく、制御装置３０は室内設定温度Ｔｍと、測定した室外温度Ｔと、選択された設定風量に応じて圧縮機１１の回転数を制御することができる。
【００４９】
実施の形態２のように空調能力の制御を行うことによって、実施の形態１と同様の効果を奏する。さらに、実施の形態１では閾温度差Ｔ１を境に室内ファンモータ２２ｂの回転数を設定回転数ＲＦ１又は低下設定回転数ＲＦ２に変更していたが、実施の形態３では圧縮機１１が最低回転数ＲＣｍｉｎに達するまで室内ファンモータ２２ｂの回転数を変更しないため、ユーザーは室内機の風量の変化に気づきにくくなる。
【００５０】
なお、実施の形態３ではＴ２＞（Ｔ−Ｔｍ）＞Ｔ３の場合のみ、室内ファンモータ２２ｂの回転数ＲＦは、室外温度Ｔと室内設定温度Ｔｍの差と設定風量とに関連付けられて設定されているが、これに限らず、（Ｔ−Ｔｍ）＞Ｔ２の範囲では設定回転数ＲＦ１、Ｔ３＞（Ｔ−Ｔｍ）の範囲では低下設定回転数ＲＦ２になるように、それぞれ室外温度Ｔと室内設定温度Ｔｍの差（Ｔ−Ｔｍ）と、設定風量と、に関連付けられて設定され、（Ｔ−Ｔｍ）の演算を行った後に、（Ｔ−Ｔｍ）と設定風量に応じた風量に設定し、（Ｔ−Ｔｍ）を限界温度差Ｔ２及び第二限界温度差Ｔ３と比較せずに室内ファンモータ２２ｂの回転数ＲＦを制御しても良い。
【００５１】
また、実施の形態１と同様に、実施の形態２においても室外温度Ｔと室内設定温度Ｔｍの差を（Ｔｍ−Ｔ）で導出することで暖房運転時にも同様の制御が行える。図２３は、実施の形態３の空気調和機に係る暖房運転時の空調能力の制御のフローチャートである。冷房運転時と異なる点はステップＳ５２，ステップＳ５３及びステップＳ５４のみであり、ステップＳ５１，Ｓ５５，Ｓ５６，Ｓ５７，Ｓ５８はそれぞれステップＳ４１，Ｓ４５，Ｓ４６，Ｓ４７，Ｓ４８と同様である。ステップＳ５２では、演算部３３は、予め設定されている室内設定温度Ｔｍと、ステップＳ５１で取得した室外温度Ｔの差、（Ｔｍ−Ｔ）を演算する。（Ｔｍ−Ｔ）の演算後、ステップＳ５３に進み、判定部３４は、（Ｔｍ−Ｔ）の演算結果と予め設定されている限界温度差Ｔ２とを比較し限界温度差Ｔ２の方が高いか、つまり（Ｔｍ−Ｔ）＜Ｔ２の条件を満たすかを判定する。ステップＳ５３の条件を満たす場合はステップＳ５４へ進み、満たさない場合はステップＳ５７へ進む。ステップＳ５４では、判定部５４は、（Ｔｍ−Ｔ）の演算結果と記憶部３１に記憶された設定風量に応じた第二限界温度差Ｔ３とを比較し、（Ｔｍ−Ｔ）が第二限界温度差Ｔ３以下か、つまり（Ｔｍ−Ｔ）≦Ｔ３の条件を満たすかを判定する。ステップＳ５４の条件を満たす場合はステップＳ５５に進み、満たさない場合はステップＳ５６へ進む。
【００５２】
さらに、実施の形態１と同様に、低下設定回転数ＲＦ２を、当該低下設定回転数ＲＦ２の設定風量より一つ下の段階の設定風量における設定回転数ＲＦ１よりも低い回転数に設定することによって、ユーザーは室内機の風量の変化により気づきにくくなる。また、複数段階の設定風量が設定できる場合において、各設定風量に応じて低下設定回転数ＲＦ２を予めそれぞれ設定しても良いし、空調能力の制御時に室内ファンモータ２２ｂの制御を行わない設定風量があっても良い。
【符号の説明】
【００５３】
１  空気調和機、１０  室外機、１１  圧縮機、１２  四方弁、１３  膨張弁、１４  室外熱交換器、１５  室外送風機、１６  室外温度センサ、２０  室内機、２１  室内熱交換器、２２  室内送風機、２２ａ  室内ファン、２２ｂ  室内ファンモータ、３０  制御装置、３１  記憶部、３２  制御部、３３  演算部、３４  判定部、４０  操作部
【図１】
2015215107.tif 000003
【図２】
2015215107.tif 000004
【図３】
2015215107.tif 000005
【図４】
2015215107.tif 000006
【図５】
2015215107.tif 000007
【図６】
2015215107.tif 000008
【図７】
2015215107.tif 000009
【図８】
2015215107.tif 000010
【図９】
2015215107.tif 000011
【図１０】
2015215107.tif 000012
【図１１】
2015215107.tif 000013
【図１２】
2015215107.tif 000014
【図１３】
2015215107.tif 000015
【図１４】
2015215107.tif 000016
【図１５】
2015215107.tif 000017
【図１６】
2015215107.tif 000018
【図１７】
2015215107.tif 000019
【図１８】
2015215107.tif 000020
【図１９】
2015215107.tif 000021
【図２０】
2015215107.tif 000022
【図２１】
2015215107.tif 000023
【図２２】
2015215107.tif 000024
【図２３】
2015215107.tif 000025